【手続補正書】
【提出日】平成24年5月22日(2012.5.22)
【手続補正１】
【補正対象書類名】明細書
【補正対象項目名】発明の名称
【補正方法】変更
【補正の内容】
【発明の名称】放送コンテンツ提供システム
【手続補正２】
【補正対象書類名】明細書
【補正対象項目名】０００１
【補正方法】変更
【補正の内容】
【０００１】
本発明は、放送コンテンツを検索してユーザに提供する放送コンテンツ提供システムに関する。
【手続補正３】
【補正対象書類名】明細書
【補正対象項目名】０００８
【補正方法】変更
【補正の内容】
【０００８】
本発明は、かかる実情に鑑み考え出されたものであり、その目的は、不必要なコマーシャルメッセージがユーザに提供されてしまうという無駄を極力防止することである。
【手続補正４】
【補正対象書類名】明細書
【補正対象項目名】００１０
【補正方法】変更
【補正の内容】
【００１０】
請求項１に記載の本発明は、放送コンテンツを検索してユーザに提供する放送コンテンツ提供システム（図１：図１は、情報の検索および配信システムの全体の概略を説明するための図である。：放送局２は、番組制作者９が制作した番組を入手し、その番組をアンテナ５，衛星１，アンテナ６を経由してユーザ宅１７に向けて放送する。その放送される番組のためのＣＭがＣＭ制作者１０により制作され、そのＣＭデータがインターネット１３を経由して放送局２にまで提供され、番組の合間にＣＭが挿入されて放送される。：放送局２から放送される番組を受信したユーザは、…ＶＴＲ（ビデオテープレコーダ）１５により録画し、後日その録画情報を再生して閲覧する場合がある。：ユーザに閲覧を希望させるためのコンテンツの合間にコマーシャルメッセージを挿入して宣伝を行なう宣伝システム）であって、
ユーザの嗜好情報（図１４に示すようなユーザの嗜好情報等を含むプロフィール情報９６：たとえば、ユーザの職業，趣味，住所，音楽の好み，映画の好み，…ユーザの公開鍵ＰＫＵ等…ユーザの年収，電話番号，異性の好み，学歴，貯蓄額，財産，…ユーザの秘密鍵ＳＫＵ等）を格納する嗜好情報格納手段（図１４：たとえばＥＥＰＲＯＭ９４、図１４）と、
複数種類のコマーシャルメッセージを格納するコマーシャルメッセージ格納手段（データベース５６）と、
前記嗜好情報格納手段が格納している前記嗜好情報に基づき、当該ユーザが好むと思われるコンテンツを検索して推薦する推薦手段（図３：Ｓ５、Ｓ１９〜Ｓ２１、図４：ＳＡ１１〜ＳＡ１３、ＳＡ２０〜ＳＡ２２、ＳＡ３１〜ＳＡ７２、図１０：ＳＡ７５）とを備え、
前記推薦手段は、
前記嗜好情報格納手段が格納している前記嗜好情報に基づき、複数の放送番組の中から当該ユーザが好むと思われる放送番組を検索して推薦する番組検索推薦手段（図４：ＳＡ１１〜ＳＡ１３、ＳＡ２１、ＳＡ２２）と、
前記嗜好情報格納手段が格納している前記嗜好情報に基づき、当該ユーザが好むと思われるコマーシャルメッセージを前記コマーシャルメッセージ格納手段の中から検索するコマーシャルメッセージ検索手段（図４：ＳＡ２０、図１０：ＳＡ７５）と、を含み、
前記放送コンテンツ提供システムは、さらに、
前記番組推薦手段により推薦された番組の中からユーザが視聴したい番組を選ぶ番組選択手段（図３：Ｓ５、Ｓ１９〜Ｓ２１、図４：ＳＡ２７、ＳＡ２９）と、
該番組選択手段でユーザに選ばれた番組を放映する制御を行なう放映制御手段（図３：Ｓ２，Ｓ７，Ｓ８，Ｓ１１〜Ｓ１６，Ｓ２３，Ｓ２４、図４：ＳＡ１８，ＳＡ１９，ＳＡ２０，ＳＡ２９）と、を備え、
前記放映制御手段は、前記推薦番組の放映の合間に、前記コマーシャルメッセージ検索手段により検索されたコマーシャルメッセージを放映する制御を行ない（Ｓ１３〜Ｓ１６）、
前記推薦手段は、推薦結果に対するユーザの反応に基づいて前記嗜好情報格納手段に格納されているユーザの嗜好情報を更新することにより推薦機能の改良を行なう学習改良機能を有し、
前記番組推薦手段は、前記番組選択手段によりユーザに既に選ばれた番組の推薦を停止する（図４：Ｓ３０）ことを特徴とする。
【手続補正５】
【補正対象書類名】明細書
【補正対象項目名】００１１
【補正方法】変更
【補正の内容】
【００１１】
請求項２に記載の本発明は、請求項１に記載の発明の構成に加えて、放送番組の内容に興味のあるユーザの関心を惹くために番組関連情報制作者が制作したユーザへのメッセージ情報であって、放送番組の内容に関連する番組関連メッセージ情報を格納する番組関連情報格納手段（データベース５６…番組関連データ制作者１１から送信されてきた番組関連データのみを格納した番組関連データ専用データベース）と、
前記コマーシャルメッセージ検索手段により検索されたコマーシャルメッセージが放映される対象となる放送番組の内容に関連する番組関連メッセージ情報を前記番組関連情報格納手段の中から検索する番組関連メッセージ情報検索手段（常駐エージェント５９）と、をさらに備え、
前記放映制御手段は、前記コマーシャルメッセージ検索手段により検索された前記コマーシャルメッセージを放映するときに前記番組関連メッセージ情報検索手段により検索された前記番組関連メッセージ情報も同時に放映する制御を行なう（図１２、図１１（ｂ）のＳＥ２）。
【手続補正６】
【補正対象書類名】明細書
【補正対象項目名】００１２
【補正方法】変更
【補正の内容】
【００１２】
請求項３に記載の本発明は、請求項２に記載の発明の構成に加えて、前記番組関連情報格納手段は、前記番組関連メッセージ情報として、番組の意見交換用のホームページにアクセスするためのアドレス情報を格納している（図１２（ａ））。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
上記の課題を解決するための手段を採用した結果、ユーザに適したきめ細かなコマーシャルメッセージがユーザ毎に提供可能となり、ユーザにとって不必要なコマーシャルメッセージがユーザに提供されてしまうという無駄を極力防止することができる。さらに、放映制御手段の働きにより、番組推薦手段が検索した推薦番組の放映の合間に、前記コマーシャルメッセージ検索手段により検索したコマーシャルメッセージを放映する制御が行なわれる。
【手続補正１４】
【補正対象書類名】明細書
【補正対象項目名】００２０
【補正方法】変更
【補正の内容】
【００２０】
また、コマーシャルメッセージと同時にそのコマーシャルメッセージが放映される放送番組に関連する番組関連メッセージ情報を放映すれば、放送番組に興味のあるユーザはその番組関連メッセージ情報をも閲覧を希望するために、番組関連メッセージ情報を閲覧すれば同時にコマーシャルメッセージも閲覧する結果となる。ゆえに、コマーシャルメッセージをカットして放送番組のみを閲覧することが極力防止できる。
【手続補正１５】
【補正対象書類名】特許請求の範囲
【補正対象項目名】全文
【補正方法】変更
【補正の内容】
【特許請求の範囲】
【請求項１】
放送コンテンツを検索してユーザに提供する放送コンテンツ提供システムであって、
ユーザの嗜好情報を格納する嗜好情報格納手段と、
複数種類のコマーシャルメッセージを格納するコマーシャルメッセージ格納手段と、
前記嗜好情報格納手段が格納している前記嗜好情報に基づき、当該ユーザが好むと思われるコンテンツを検索して推薦する推薦手段とを備え、
前記推薦手段は、
前記嗜好情報格納手段が格納している前記嗜好情報に基づき、複数の放送番組の中から当該ユーザが好むと思われる放送番組を検索してユーザに推薦する番組推薦手段と、
前記嗜好情報格納手段が格納している前記嗜好情報に基づき、当該ユーザが好むと思われるコマーシャルメッセージを前記コマーシャルメッセージ格納手段の中から検索するコマーシャルメッセージ検索手段と、を含み、
前記放送コンテンツ提供システムは、さらに、
前記番組推薦手段により推薦された番組の中からユーザが視聴したい番組を選ぶ番組選択手段と、
該番組選択手段でユーザに選ばれた番組を放映する制御を行なう放映制御手段と、を備え、
前記放映制御手段は、前記推薦番組の放映の合間に、前記コマーシャルメッセージ検索手段により検索されたコマーシャルメッセージを放映する制御を行ない、
前記推薦手段は、推薦結果に対するユーザの反応に基づいて前記嗜好情報格納手段に格納されているユーザの嗜好情報を更新することにより推薦機能の改良を行なう学習改良機能を有し、
前記番組推薦手段は、前記番組選択手段によりユーザに既に選ばれた番組の推薦を停止することを特徴とする、放送コンテンツ提供システム。
【請求項２】
放送番組の内容に興味のあるユーザの関心を惹くために番組関連情報制作者が制作したユーザへのメッセージ情報であって、放送番組の内容に関連する番組関連メッセージ情報を格納する番組関連情報格納手段と、
前記コマーシャルメッセージ検索手段により検索されたコマーシャルメッセージが放映される対象となる放送番組の内容に関連する番組関連メッセージ情報を前記番組関連情報格納手段の中から検索する番組関連メッセージ情報検索手段と、をさらに備え、
前記放映制御手段は、前記コマーシャルメッセージ検索手段により検索された前記コマーシャルメッセージを放映するときに前記番組関連メッセージ情報検索手段により検索された前記番組関連メッセージ情報も同時に放映する制御を行なうことを特徴とする、請求項１に記載の放送コンテンツ提供システム。
【請求項３】
前記番組関連情報格納手段は、前記番組関連メッセージ情報として、番組の意見交換用のホームページにアクセスするためのアドレス情報を格納していることを特徴とする、請求項２に記載の放送コンテンツ提供システム。